(57)【要約】【課題】  周知の如く触れたくないホルダーに触り、カバーの上げ下げをしてペーパーの先端を取り出して必要な長さに切り取るもので心理的、且つ能率的にも時間がかかることが課題である。【解決手段】  ペーパーを切り取ると共に自動的に先端出しされることで課題を克服するもので、カバーを持ち上げることによりラチェット爪を働かせてペーパー軸をロックし切り取る。そしてカバーでロックを解除し、一方向クラッチを利用してカバーの自重でペーパーの先端出しをする。これによりホルダーに無接触で且つワンタッチでペーパーを切ることが出来る。【選択図】  図１
0003120968.tif 000002
【実用新案登録請求の範囲】
【請求項１】
所定の長さに引き出されたロールペーパーでカバーを持ち上げる事によりペーパー軸をロックしてペーパーを緊張させながらペーパーカバーの端面の刃部で切る事を特徴とするロールペーパーホルダー。カバーはペーパーが切られた後自重でロックをはずし、元の位置に戻ると共にペーパーの先端出しをする。ベーパーホルダーには無接触且つワンタッチでペーパーを切る事が出来る。
【考案の詳細な説明】
【技術分野】
【０００１】  本考案は衛生的、心理的な面を考慮に入れ、且つ作業性を重視して紙を切り取るものである。
【背景技術】
【０００２】  一般にトイレに供されているものはホルダーに触れるため衛生的、心理的にためらわれるが、現実にはカッターで切られたペーパーの先端を取り出すために左手でカバーを持ち上げ右手で必要な長さのペーパーを引き出し改めてカバーを左手で押えて紙を切り取っているので作業性が悪い。【０００３】  ロールペーパーはその作業性の悪さからトイレ専用に限られその他の場所での使用は少ない。【０００４】  特に公共の女子トイレの混雑はよく見られるがペーパーの取り出しの作業性の悪さも一因と考えられない事もない。
【考案の開示】
【考案が解決しようとする課題】
【０００５】  問題を解決するための課題は次の通りである。
１  必要なロールペーパーを切るのに作業性が悪く時間がかかる。
２  ホルダーに無接触で使用出来ない。
３  ロールペーパーがトイレ専用となってしまっている。
【課題を解決するための手段】
【０００６】  本案はペーパーを切るためペーパーでカバーを上に持ち上げる力を利用してペーパー軸をロックし切断した後カバーの自重で元に戻る力を利用してペーパーの先端出しを行うもので、ラチェットと一方向クラッチを組み合わせた方式である。【０００７】  引っ張りながらペーパーを切るのであるからペーパーを切る刃部はそれに即したものでなければならない。【０００８】  ペーパー軸とロールペーパーは同時に回転しなくてはペーパーの先端出しが出来ないので、固定するかフリクションで同時回転して且つペーパーの交換が容易に出来るものでなければならない。
【考案の効果】
【０００９】  上述のように右手又は左手でペーパーの先端出しされた部分のみを持って希望の長さに切るもので、ホルダーに全くの無接触であり且つワンタッチでペーパーを切り取る事が出来る。
【考案を実施するための最良の形態】
【００１０】  図１の如く最良の形態として本体１に二つの主要な軸があり、一つはペーパー軸２でそれに固定したペーパー歯車３とラチェットホイル４がついている。中間歯車５を介してカバー歯車８があり一方向クラッチ７を組み入れてカバー軸６に組み込まれている。カバーＡ１２はカバー軸に圧入され、又カバーＢ１３はカバー軸に滑合されている。又一方向クラッチ７は図１に対しカバー軸６が時計方向の回転にはカバー歯車８に無関係で回転するが反時計方向に回転する時はカバー歯車８は強制的に回転させられるように一方向クラッチ７を組み込む。このように組み入れたカバー歯車８側から見れば反時計方向に歯車が回転するときは、カバー軸に対しては回転を伝える事は無い。【００１１】  今希望の長さに引き出されたペーパーはそれを切るためにペーパーでカバーＡカバーＢを上に持ち上げるとラチェット軸９を支点にしてラチェット爪１０はラチェットバネ１１により図１の二点鎖線のようにラチェットホイル４をロックしてペーパー軸は止まる。この位置で上側ストッパー１５によってもロックされる事になる。そしてペーパーを引張り気味にカバーＡカバーＢの刃先で切る。切られるとカバーＢ１３は軸に滑合しているので自重で元に戻りラチェット爪１０を押し上げ実線の位置にロックをはずす事になりカバーＡ１２は自重により元の位置まで反時計方向に回転するのでカバー軸６もカバー歯車も反時計方向に回転する。これにより中間歯車を介してペーパー歯車３も反時計方向に回転してペーパーの先端出しをすることになる。ストッパー１４はそれぞれのカバーが元に戻るストッパーである。先端出しの長さはカバーの回転角や歯車の歯数比によって決まる。【００１２】  本案はペーパー軸２とロールペーパー２３は同じ動きをしなくてはならないしペーパーを交換しなくてはならないので図２の如くペーパー軸２とペーパーホルダーとはジョイントされている。ペーパー軸の他端にはジョイントピン１７が打たれ、それに合わさる溝がホルダーＡ１８に切られている（図４参照）。ホルダー１９に伸縮バネ２１が入りそれにホルダーＡが入る。ホルダーＡには案内ピン２０が打たれ、それに対してホルダーＢ１９には長溝が切られてあってペーパー交換時の伸縮の案内となり且つ案内ピン２０は回転を伝えるためのものである。板バネ２２は円周に必要な枚数を取り付け、フリクションで回転を伝える。尚、軸受け１６はペーパー軸２を安定させるためのものである。【００１３】  図５のカバー１２、カバー１３の先端につけられた刃部は鉄板を切断機で切り落とした時に出来るカヘリを刃として使用しその反対面を面取りしたものである。
【実施例】
【００１４】  ペーパーホルダー部については一般に使われているものと基本的に同じであるがジョイント部と板バネ部は追加したものである。
【産業上の利用】
【図面の簡単な説明】
【００１５】
【図１】正面図に対する右側面図
【図２】正面図
【図３】カバー軸とカバーの断面図（Ａ−Ａ矢視図）
【図４】ジョイント部のピンと溝の図面（Ｃ矢視図）
【図５】カバーの刃先の断面図
【符号の説明】
【００１６】  １  本体
２  ペーパー軸
３  ペーパー歯車
４  ラチェットホイル
５  中間歯車
６  カバー軸
７  一方向クラッチ
８  カバー歯車
９  ラチェット爪軸
１０  ラチェット爪
１１  ラチェットバネ
１２  カバーＡ
１３  カバーＢ
１４  下側ストッパー
１５  上側ストッパー
１６  軸受け
１７  ジョイントピン
１８  ホルダーＡ
１９  ホルダーＢ
２０  案内ピン
２１  伸縮バネ
２２  板バネ
２３  ロールペーパー
【図１】
0003120968.tif 000003
【図２】
0003120968.tif 000004
【図３】
0003120968.tif 000005
【図４】
0003120968.tif 000006
【図５】
0003120968.tif 000007
【手続補正書】
【提出日】平成18年1月24日(2006.1.24)
【手続補正１】
【補正対象書類名】実用新案登録請求の範囲
【補正対象項目名】全文
【補正方法】変更
【補正の内容】
【実用新案登録請求の範囲】
【請求項１】
「実用新案登録請求の範囲において、
（１）所定の長さに引き出されたロールペーパーでカバーを持ち上げる事によりペーパー軸をロックしてペーパーを緊張させながらペーパーカバーの端面の刃部で切る、
（２）カバーはペーパーが切られた後自重でロックをはずし、元の位置に戻ると共にペーパーの先端出しをする、
（３）ペーパーホルダーには無接触且つワンタッチでペーパーを切る、
以上の構成からなるロールペーパーホルダー。